(57)【特許請求の範囲】
【請求項１】
ケーブルＬＡＮ対応のヘッドエンド用の機器が収容されているラック内に設けられたサブラックに、上りデータ用の複数の電子機器ユニットと、下りデータ用の複数の電子機器ユニットとが、着脱自在に設けられ、前記ヘッドエンド用機器のうち上りデータ用機器及び下りデータ用機器に接続されたサブラックヘッドエンドシステムであって、前記上りデータ用機器は混合回路ユニットであり、前記下りデータ用機器は、分配又は分岐ユニットで、
前記上りデータ用の複数の電子機器ユニットと、前記下りデータ用の複数の電子機器ユニットとは、奥行きと高さ寸法とが同一で幅寸法が予め定めた値の整数倍（整数は１を含む）であり、前記奥行き方向の一端部に位置決め係合部を有し、前記奥行き方向の他端部に被結合部を有するものであり、
前記サブラックは、前記上りデータ用の複数の電子機器ユニットと、前記下りデータ用の複数の電子機器ユニットとが上面に一列に配置され、奥行き寸法が前記ユニットの奥行き寸法にほぼ等しい基台と、この基台の前記奥行き方向の一端部に設けられ、前記位置決め係合部を係止する複数の係止部と、前記基台の前記奥行き方向の他端部側に設けられ、前記被結合部が結合具を介して結合される複数の結合部とを、有し、隣接する前記各係止部の間隔は、前記予め定めた値に選択され、隣接する前記各結合部の間隔は、前記予め定めた値に選択されている
サブラックヘッドエンドシステム。
【請求項２】
請求項１記載のサブラックヘッドエンドシステムにおいて、前記基台の奥行き方向の一端部の前方にパネルが配置されているサブラックヘッドエンドシステム。
【請求項３】
請求項２記載のサブラックヘッドエンドシステムにおいて、前記上りデータ用の複数の電子機器ユニットと、下りデータ用の複数の電子機器ユニットとは、前記パネルと対向して前記奥行き方向の一端部に第１の面を有し、前記奥行き方向の他端部に第２の面を有し、前記第１の面にモニタ端子を有し、前記第２の面に入力端子及び出力端子を有するサブラックヘッドエンドシステム。
【請求項４】
請求項２記載のサブラックヘッドエンドシステムにおいて、前記パネルは、ラックへの取付部を有しているサブラックヘッドエンドシステム。
【発明の詳細な説明】
【０００１】
【発明の属する技術分野】
本発明は、ラック内に収容されて１つのシステムを構成するサブラックを用いて構成した共同受信システム用のサブラックヘッドエンドシステムに関する。
【０００２】
【従来の技術】
ケーブルＬＡＮ対応の共同受信システム用ヘッドエンド装置では、インターネット用センターモデムと、ヘッドエンド装置のラック内に収容されている下り信号を処理する下りサブラック、上り信号を処理する上りサブラックとの間で、下りデータ、上りデータを伝送する上り下りデータ伝送システムが必要である。
【０００３】
従来、この伝送システムは、屋内配線に使用している分岐器や分配器を、ヘッドエンド装置のラックの裏側等に配置し、これらを適宜同軸ケーブルで接続することによって、構成されていた。
【０００４】
【発明が解決しようとする課題】
しかし、このような伝送システムでは、分岐器や分配器等を、ヘッドエンド装置のラックの裏面空間に固定することが行いづらく、作業に手間がかかっていた。また、分岐器や分配器等への配線が煩雑になり、この伝送システムの構成を変更する必要が生じたような場合、その変更を容易に行うことができなかった。例えば、ヘッドエンド装置の内蔵用のシャーシに、多くの分岐器や分配器を組み込んだ機器を使用することも考えられる。しかし、この機器を使用した場合、組み込まれている分岐器や分配器の一部を他のものに交換することが不可能であり、伝送システムの構成を変更する場合には、この分岐器や分配器が組み込まれた機器を、他の機器に交換する必要がある。従って、共同受信システム全体を停止させた大がかりな作業となる。また、上記いずれの場合でも、分岐器や分配器の一部のものが不良となった場合にも、同様な問題が生じる。
【０００５】
本発明は、ケーブルＬＡＮ等の信号伝送システムを、容易に設置することができるように構成したサブラックを使用したサブラックヘッドエンドシステムを提供することを目的とする。
【０００６】
【課題を解決するための手段】
本発明によるサブラックヘッドエンド装置では、ケーブルＬＡＮ対応のヘッドエンド用の機器が収容されているラック内にサブラックが設けられている。このサブラックに、上りデータ用の複数の電子機器ユニットと、下りデータ用の複数の電子機器ユニットとが、着脱自在に設けられている。これら電子機器ユニットは、上り下りデータ伝送用のものであり、具体的には上り用として混合ユニット、または混合ユニットと分岐または分配ユニットを使用し、下り用として分岐または分配ユニット、または分岐または分配ユニットと混合ユニットとを使用する。このサブラックは、ヘッドエンド用機器のうち上りデータ用機器及び下りデータ用機器に接続されている。上記各ユニットは、奥行きと高さ寸法とが同一で、幅寸法が予め定めた値の整数倍（整数は１を含む）であり、前記奥行き方向の一端部に位置決め係合部を有し、前記奥行き方向の他端部側に被結合部を有している。これら電子機器ユニットが上面に配置される基台が設けられている。前記基台の奥行き寸法が、前記各ユニットの奥行き寸法にほぼ等しく選択されている。この基台の前記奥行き方向の一端部に複数の係止部が設けられている。この係止部は、前記位置決め係合部を係止する。前記基台の前記奥行き方向の他端部に複数の結合部が設けられている。これら結合部には、前記被結合部が結合具を介して結合される。隣接する前記各係止部の間隔は、前記予め定めた値に選択され、隣接する前記各結合部の間隔も、前記予め定めた値に選択されている。
【０００７】
このサブラックヘッドエンド装置には、着脱自在に下りデータ用の電子機器ユニット、上りデータ用電子機器ユニットが取り付けられる。従って、所望の上り及び下りデータ伝送システムを容易に構成することができるし、また、ユニットを交換することによって、このサブラックヘッドエンド装置が接続される機器の変更にも容易に対応することができる。また、サブラックに各ユニットを取り付けたものであるので、ヘッドエンド装置のラックの裏側の空間に、屋内配線用の分岐器や分配器等を配置する必要がなく、これら機器を配線するような作業も不要になる。また、これらユニットの位置決め係合部を基台の係止部に係合させ、ユニットの被結合部を基台の結合部に結合具を介して結合することによって基台上に取り付けられている。従って、着脱が容易である。しかも、各ユニットの幅寸法の基準となる予め定めた値と同じ値を持つように、係止部の間隔、結合部の間隔がそれぞれ設定されているので、種々の幅寸法を持つユニットを容易に着脱することができる。
【０００８】
上記のサブラックヘッドエンド装置において、基台の奥行き方向の一端部の前方にパネルを配置することができる。このように構成したサブラックでは、パネル側にユニットの位置決め係合部に対応する係止部が位置し、パネルから離れた側に結合部が位置している。従って、パネル側とは反対側からユニットの位置決め係合部が設けられている側を、パネル側に向かって移動させて、位置決め係合部を係止部に係止させて、その後に被結合部を結合部に結合させれば、取付が終了するので、ユニットの取付のために、パネルをわざわざ取り外す必要性がない。また、ユニットの入力、出力端子を被結合部が設けられている端部側に設けておけば、入出力端子への接続も容易に行える。また、前記上りデータ用の複数の電子機器ユニットと、下りデータ用の複数の電子機器ユニットとは、前記パネルと対向して前記奥行き方向の一端部に第１の面を有し、前記奥行き方向の他端部に第２の面を有し、前記第１の面にモニタ端子を有し、前記第２の面に入力端子及び出力端子を有するものとすることもできる。
【０００９】
更に、パネルは、ラックへの取付部を有するものとできる。このように構成した場合、例えばヘッドエンド装置用のラック内に、このサブラックを取り付けることができ、ヘッドエンド装置用のラックの裏側等において個別の分岐器、分配器または混合器等を固定したり、互いに接続したりする作業が不要であり、容易に上り下りデータ伝送システムを構築できる。
【００１２】
【発明の実施の形態】
本発明の１実施形態のサブラックヘッドエンドシステムは、図１及び図２に示すように、正面部に概略矩形に形成された正面パネル２を有している。図２に示すように、この正面パネル２の両短縁に、図示していないラックに、このサブラックを取り付けるための取付部、例えば耳片４、４が形成されている。
【００１３】
この正面パネル２よりも後方に、正面パネル２と間隔をおいて複数、例えば２つの基台６、６が配置されている。２つの基台６、６は、正面パネル２の短縁の長さ方向、即ち、図２における上下方向に、予め定めた間隔をおいて配置されている。
【００１４】
これら基台６、６は、扁平な直方体状に形成されている。これら基台６、６の長手縁が、正面パネル２の長手縁方向にほぼ平行となるように、基台６、６は配置されている。これら基台６、６の下面は開放されている。正面パネル２に対してほぼ垂直に、かつ基台６、６の長さ寸法にほぼ等しい長さの間隔をあけて耳片４、４から後方に伸びた取付板８、８に、基台６、６の両側面を取り付けることによって、基台６、６は、正面パネル２に取り付けられている。
【００１５】
取付板８、８は、正面パネル２の高さ寸法とほぼ等しい高さ寸法を有している。下方の基台６の下面が取付板８の下端に位置し、かつ下方の基台６の上面から上方の基台６の下面までの距離が、上方の基台６の上面から取付板８の上端までの距離に等しくなるように、基台６、６は、取付板８、８に取り付けられている。
【００１６】
また、基台６、６における正面パネル２側の面には、係止部形成板１０が取り付けられている。この係止部形成板１０は、基台６、６の両端において、それぞれ取付板８の上端と下端とに、係止部形成板１０の上端と下端とが位置する脚部１０ａ、１０ａを有している。これら脚部１０ａ、１０ａ間に、両基台６、６の長手縁に沿って、基台６、６の上面から幾分上方に突出する長尺状部１０ｂ、１０ｂが形成されている。
【００１７】
係止部形成板１０の長尺状部１０ｂ、１０ｂには、係止部、例えば矩形の孔１２が、正面パネル２の前後方向に貫通するように複数形成されている。これら孔１２は、それらの下縁が基台６、６の上面に位置するように配置されている。隣接する孔１２の間隔は、予め定めた値にそれぞれ等しく形成されている。なお、基台６、６の長手縁方向の両端にある孔１２と、基台６、６の長手縁の端部との距離は、上記予め定めた値の約１／２に設定されている。
【００１８】
また、基台６、６の正面パネル２と反対側の背面には、複数のネジ挿通孔１４が形成されている。これらネジ挿通孔１４は、基台６、６の上面から下方に向かう位置に形成されている。これらネジ挿通孔１４は、各孔１２に対応する位置にそれぞれ形成されている。
【００１９】
これらネジ挿通孔１４に対応して、図１に示すように、基台６、６の内部の下方方向には、複数の結合部、例えば結合片１６が形成されている。これら結合片１６は、基台６、６の上面を、ネジ挿通孔１４が形成されている面側を残して矩形に切り欠き、その切り欠いた部分を基台６、６内部下方向側に折り曲げて形成したものである。図２に符号１８で示すのは、この切り欠きによって形成された開口である。従って、これら結合部１６は概略矩形に形成されている。ネジ孔１９が、図１に示すように、これら結合部１６にそれぞれ１つずつ刻設されている。
【００２０】
これら基台６、６の上面に、分岐、分配または混合ユニット（以下、単にユニットと称する。）２０が着脱自在に配置される。これらユニット２０は、概略直方体状に形成されている。但し、これらユニット２０は、複数種類が準備されている。そして、その奥行き寸法、即ち正面パネル２の前後方向の寸法が、基台６の正面パネル２の前後方向の寸法に等しく、各種類共通に形成されている。また、高さ寸法は、上方の基台６の上面から取付板８の上端までの高さ寸法（これは、下方の基台６の上面から上方の基台６の下面までの高さ寸法に等しい）に等しく、各種類共通に形成されている。幅寸法、即ち正面パネル２の長さ方向に沿う寸法は、その各種類ごとによって異なる。但し、上述した予め定めた値の整数倍（整数には１を含む）に形成されている。
【００２１】
例えば、図３（ａ）、（ｂ）及び図４（ａ）、（ｂ）に示すように、幅寸法のみが異なり、奥行き寸法及び高さ寸法が等しい複数種類のユニット２０が準備されている。これらユニット２０は、例えば図５、図６に示すような混合回路、及び図７に示すような分配回路が内部に形成されているものである。
【００２２】
図５の混合回路ユニットでは、２つの入力端子２２、２２から供給された例えば上りデータが、混合器２４によって混合され、出力端子２６に出力される。但し、その一部をモニタするために、混合器２４の出力側に１分岐器２８が設けられている。この１分岐器２８の分岐出力が、モニタ端子３０に供給されている。即ち、図５の混合回路ユニットは、２入力混合回路である。
【００２３】
図６の混合回路ユニットでは、４つの入力端子３２に供給された例えば上りデータが混合器３４によって混合され、出力端子３６に出力される。但し、混合出力をモニタするために、混合器３４の出力側に１分岐器３８が設けられている。この１分岐器３８の分岐出力がモニタ端子３０に出力されている。即ち、図６の混合回路は、４入力混合回路である。
【００２４】
図示していないが、この他に、８つの上りデータを混合するために、８つの入力端子と、１つの出力端子と、モニタ端子と、８入力混合可能な混合器と、１分岐器とを、備えた８入力混合回路ユニット等の多入力混合回路ユニットもある。さらに、図５及び図６の混合回路ユニットの入力側や出力側に特定の周波数を通過させるためのフィルタを設けてもよい。
【００２５】
また、図７に示す分配回路ユニットでは、１つの入力端子４０に供給された例えば下りデータが４分配器４２によって４分配され、４つの出力端子４４に供給される。但し、入力端子４０の下りデータをモニタするために、入力端子４０と４分配器４２との間に、１分岐器４６を設けている。１分岐器４６の分岐出力は、モニタ端子３０に供給される。即ち、この分配回路ユニットは、４分配回路である。図示していないが、２分配回路、８分配回路等も使用される。この場合、分配器が２分配器、８分配器に変更され、それに応じて出力端子の数が２、８に変更される以外、他の構成は同一である。分配回路ユニットの入力側や出力側に特定の周波数を通過させるためのフィルタを設けてもよい。
【００２６】
これらユニット２０、例えば図３に示す２入力混合回路ユニットでは、同図（ａ）に示すように、ユニット２０の奥行き方向に沿い、対向する２つの面のうち一方の面に、２つの入力端子２２及び出力端子２６が設けられ、同図（ｂ）に示すように、他方の面にモニタ端子３０が設けられている。また、図４に示す４入力混合回路ユニットでは、同図（ａ）に示すように、ユニット２０の奥行き方向に沿って配置された対向する２つの面のうち、一方の面に、４つの入力端子３２、出力端子３６が設けられ、他方の面にモニタ端子３０が設けられている。
【００２７】
図示していないが、他の種類のユニット２０においても、同様にユニット２０の奥行き方向に沿って配置された２つの対向する面のうち、一方の面に、入力端子、出力端子が設けられ、他方の面にモニタ端子が設けられている。入出力端子の数が増加するにつれて、各種ユニット２０の幅寸法は、予め定めた値の整数倍で大きくなっている。
【００２８】
これらユニット２０のモニタ端子が設けられている面の下縁には、図３（ｂ）、図４（ｂ）に示すように位置決め係合部、例えば位置決め片５０が設けられている。この位置決め片５０は、モニタ端子３０が設けられている面の下縁から、この面から外方に向かって水平に突出させた板状体であり、その幅寸法は、基台６、６の孔１２の幅寸法にほぼ一致するように形成されている。これら位置決め片５０は、例えば図３（ｂ）に示すようにユニット２０の幅寸法が上記の予め定めた値のユニットである場合、モニタ端子３０が設けられている面の下縁の中央（この下縁の両端からそれぞれ上記予め定めた値の１／２の値の位置）に設けられている。
【００２９】
また、図４（ｂ）に示すようにユニット２０の幅寸法が上記の予め定めた値の２倍以上のユニットである場合、位置決め片５０は、複数設けられ、位置決め片５０の隣接するものの間隔は、上記予め定められた値である。また、最も端に位置するものは、モニタ端子が設けられている面の下縁の端から上記予め定めた値の約１／２の値の位置に設けられている。
【００３０】
これらユニット２０の入力端子及び出力端子が設けられている面の下縁には、この下縁から下方に向かって被結合部、例えば被結合片５２が形成されている。これら被結合片５２は、各ユニット２０の幅寸法に応じて、各位置決め片５０に対応する位置に設けられている。これら被結合片５２は、基台６、６に設けたネジ挿通孔１４に重ねた場合、ネジ挿通孔１４よりも長い長さを有している。この重ねた状態において、ネジ挿通孔１４を介して結合片１６のネジ孔１９と一致する位置にネジ孔５４が、形成されている。
【００３１】
このように構成されたサブラックヘッドエンドシステムにおいて、基台６、６へのユニット２０の取付は、次のように行われる。先ず、上述した各種ユニット２０のうち、構成しようとする上り下りデータ伝送システムを構成するために必要なユニット２０を選択する。
【００３２】
図１に示すように、選択された各ユニット２０の位置決め片５０を孔１２に正面パネル２の反対側から挿通する。このとき、選択された各ユニット２０の被結合片５２は、ネジ挿通孔１４上に重なっている。被結合片５２のネジ孔５４に、結合具、例えばローレットネジ５６のネジ部を螺合させ、ネジ挿通孔１４を介して結合片１６のネジ孔１９に螺合させる。これによって、それぞれ各ユニット２０を基台６、６に取り付けることができる。なお、結合片１６とネジ挿通孔１４との空間の間隔Ａは、ローレットネジ５６のネジ部の長さＢよりも大きくしてあるので、ローレットネジ５６のネジ部が結合片１６のネジ孔１９から外れた際に、ローレットネジ５６が、空間Ａでフリーとなる。但し、ローレットネジ５６は、被結合片５２のネジ孔５４を通過するためには再度螺合しなければならず、ユニットから外れることはない。図２に破線で示してあるユニット２０は、基台６の中央側が２入力混合回路ユニットで、基台６の端側が４入力混合回路ユニットである。
【００３３】
なお、この取付状態において、各ユニット２０のモニタ端子３０は、係止部１０の長尺部１０ｂよりも上方に位置し、かつ正面パネル２側に突出している。従って、正面パネル２を外すことによって容易に各ユニット２０の信号状態をモニタすることができる。また、各ユニット２０の入力端子、出力端子は、全て正面パネル２と反対側、即ち背面側に位置しているので、これら各ユニット２０の入力端子、出力端子間の接続は、背面側のみで行われ、正面側に接続用ケーブルを引き回す必要はなく、判りやすい配線を容易に行うことができる。しかも、入力端子や出力端子に接続用ケーブルの結合を行った後に、ユニット２０を基台に取り付けることができるので、隣接するユニット２０の入力端子や出力端子が配線の邪魔になることもない。
【００３４】
ここで、各ユニット２０は、その幅寸法が、予め定めた値（孔１２の隣接するもの同士の間隔及び結合片１６の隣接するもの同士の間隔）の整数倍（１を含む）に形成され、各ユニット２０の位置決め片５０を孔１２に挿入したとき、各ユニット２０の被結合片５２のネジ孔５４が結合片１６のネジ孔１９に一致するように形成されているので、いずれのユニット２０でも、例えば４分配回路用、２分配回路用、８分配回路用のユニットであっても、或いは４入力混合用、２入力混合用、８入力混合用のユニットであっても、基台６、６に自由に取り付けることができる。従って、作成しようとする上り下りデータ伝送システムの必要に応じたユニット２０を必要に応じて基台６，６上の位置に取り付けることができる。また、既に取り付けられているユニット２０が故障した場合、新しいユニット２０に交換することも容易に行うことができる。
【００３５】
また、各ユニット２０を密着して配置する必要がなく、間隔をあけて複数のユニット２０を配置することも可能である。従って、例えばこのサブラックヘッドエンドシステムから、同じラック中にある他のサブラックに配線を行う必要が生じた場合であって、しかも他のラックの正面側に配線を行わなければならないような場合にも、配線を容易に行うことができる。なお、結合片１６を基台６より切り起こして設けたが、逆Ｌ字状の部材を基台６にスポット溶接することによって設けることもできる。
【００３６】
このようなサブラックヘッドエンド装置の回路の１例を図８に示す。図８において点線で囲んだ部分が、サブラックヘッドエンド装置である。インターネット用センターモデム６０と、図示していないヘッドエンド装置の上りデータ及び下りデータを処理する上りサブラック及び下りサブラックとの間に、このサブラックヘッドエンド装置は、接続されている。無論、このサブラックヘッドエンド装置は、上りサブラックや下りサブラックが設けられているのと同じラックに配置されている。
【００３７】
インターネット用センターモデム６０から出力された下りデータは、例えば２分配回路ユニット６２によって２分配される。分配された下りデータは、８分配回路ユニット６４、６６に供給されて、それぞれ８分配される。８分配回路ユニット６４、６６から出力された合計１６個の分配出力は、それぞれ対応する下りサブラック（図示せず）に供給される。
【００３８】
また、上りサブラックから出力された８つの上りデータは、４つずつ２つのグループに分けられ、各グループの上りデータは、４入力混合回路ユニット６８、７０において混合され、合計２つの混合出力が生成される。これら２つの混合出力は、２入力混合回路ユニット７２において混合され、この混合出力がインターネット用センターモデム６０等に供給される。
【００３９】
上記の回路例は、単なる一例であり、このサブラックヘッドエンド装置が使用されるヘッドエンド装置の構成に応じて、種々の回路構成が考えられる。例えば、図９に示すように、インターネット用センターモデム６０の他に、ステータスモニタセンター装置７４とケーブル電話装置７６とを新たに設けた場合、８分配ユニット６４の入力側に例えば４入力混合ユニット７８を設け、８分配器６４の出力の他に、ステータスモニターセンター装置からの下りデータ、ケーブル電話装置７６の下りデータを混合して、対応する下りサブラックに供給する。また、４入力混合器６８の入力側に例えば４分配ユニットを設け、上りサブラックから供給された上りデータを分配して、４入力混合ユニット６８や、ステータスモニターセンター装置７４、ケーブル電話装置７６に供給する。
【００４０】
上記の実施の形態では、２台の基台６を上下方向に配置したが、３台以上の基台６を上下方向に配置することもできるし、１台の基台のみを配置することもできる。また上記の実施の形態では、位置決め片５０を水平に突出させたが、係止部としての孔１２を例えば基台６の上面に形成し、位置決め片５０をユニット２０の下面に、これと垂直に下方に伸延させた形状としてもよい。また、上記の実施の形態では、結合片１６を基台６の内部に設けたが、例えばネジ挿通孔１４を設けた位置に、ネジ孔を形成してこれを結合部し、このネジ孔にユニットを取り付けることもできる。また、上記の実施の形態では、分配ユニットを示したが、これ以外にも分岐器を使用した分岐ユニットを使用することもできる。
【００４１】
【発明の効果】
以上のように、本発明によるサブラックヘッドエンド装置に使用しているサブラックによれば、このサブラックへのユニットの着脱が容易である上に、各ユニットの幅寸法の基準となる予め定めた値と同じ値を持つように、係止部の間隔、結合部の間隔がそれぞれ設定されているので、種々の幅寸法を持つユニットを容易に着脱することができる。また本発明によるサブラックヘッドエンド装置では、所望の上り及び下りデータ伝送システムを容易に構成することができるし、また、ユニットを交換することによって、このサブラックヘッドエンド装置が接続される機器の変更にも容易に対応することができる。また、ヘッドエンド装置のラックの裏側の空間に、屋内配線用の分岐器や分配器等を配置する必要がなく、これら機器を配線するような作業も不要になる。
【図面の簡単な説明】
【図１】本発明の１実施形態のサブラックにユニットを取り付けた状態の縦断面図である。
【図２】図１のサブラックの斜視図である。
【図３】図１のサブラックに取り付けられるユニットの一例の背面図及び正面図である。
【図４】図１のサブラックに取り付けられるユニットの他の例の背面図及び正面図である。
【図５】図３のユニットのブロック図である。
【図６】図４のユニットのブロック図である。
【図７】図１のサブラックに取り付けられるユニットの別の例のブロック図である。
【図８】図１のサブラックに各種ユニットを取り付けて構成されたサブラックヘッドエンド装置の一例のブロック図である。
【図９】図１のサブラックに各種ユニットを取り付けて構成されたサブラックヘッドエンド装置の他の例のブロック図である。
【符号の説明】
２  正面パネル
６  基台
１２  係止部
１６  固定部
２０  ユニット
５６  ネジ（固定具）
【図１】
0004588275.tif 000002
【図２】
0004588275.tif 000003
【図３】
0004588275.tif 000004
【図４】
0004588275.tif 000005
【図５】
0004588275.tif 000006
【図６】
0004588275.tif 000007
【図７】
0004588275.tif 000008
【図８】
0004588275.tif 000009
【図９】
0004588275.tif 000010